(57)【要約】【課題】簡単なリモコン操作で録画番組やネットワーク番組を再生することができるデジタル放送受信装置を提供する。【解決手段】ボタン情報管理部２０により、デジタル放送受信装置１０を操作するためのリモコン２５が有するダイレクト選局ボタンに対して、当該ダイレクト選局ボタンに対応する放送チャンネルに換えて、ユーザ操作により指示される録画番組を識別する情報や、ネットワーク番組を配信するネットワークサイトを識別する情報を置き換え番組情報として割り付け、ダイレクト選局ボタンと、それに割り付けられた置き換え番組情報との対応等を示す置き換え設定情報を生成して保持する。置き換え番組情報が割り付けられたダイレクト選局ボタンが押下されたことを示す信号が入力されると、制御部２４は、置き換え設定情報に基づいて、押下されたダイレクト選局ボタンに対応する番組を再生させる。【選択図】図１
2009177490.tif 000002
【特許請求の範囲】
【請求項１】
所望のデジタル放送番組を受信する受信手段と、
前記受信手段で受信したデジタル放送番組を録画する録画手段と、
本装置を操作するためのリモコンに設けられた、放送チャンネルがそれぞれ割り付けられた複数のダイレクト選局ボタンのうち、少なくとも１つのダイレクト選局ボタンに対して、当該ダイレクト選局ボタンに対応する放送チャンネルに換えて、前記録画手段に録画された録画番組を識別する情報を置き換え番組情報として割り付け、前記ダイレクト選局ボタンと前記置き換え番組情報との対応を示す置き換え設定情報を生成して保持する置き換え設定手段と、
前記置き換え番組情報が割り付けられたダイレクト選局ボタンが押下されたことを示す信号が入力された場合、前記置き換え設定情報に基づいて、押下された前記ダイレクト選局ボタンに対応する前記置き換え番組情報が示す前記録画番組を再生する再生手段と
を備えることを特徴とするデジタル放送受信装置。
【請求項２】
ネットワークを介してネットワーク番組を受信するネットワーク接続手段をさらに備え、
前記置き換え設定手段は、少なくとも１つの前記ダイレクト選局ボタンに対して、前記録画手段に録画された前記録画番組を識別する情報および前記ネットワーク番組を配信するネットワークサイトを識別する情報の少なくともいずれか一方を１つ以上前記置き換え番組情報として割り付け、
前記再生手段は、前記置き換え番組情報が前記ネットワークサイトを識別する情報であった場合、前記置き換え設定情報に基づいて、押下された前記ダイレクト選局ボタンに対応する前記置き換え番組情報が示す前記ネットワークサイトで配信される前記ネットワーク番組を前記ネットワーク接続手段を介して受信して再生することを特徴とする請求項１に記載のデジタル放送受信装置。
【請求項３】
前記再生手段は、複数の前記置き換え番組情報が割り付けられた前記ダイレクト選局ボタンが押下されたことを示す信号が入力された場合、前記置き換え設定情報に基づいて、複数の前記置き換え番組情報がそれぞれ示す前記録画番組または前記ネットワークサイトで配信される前記ネットワーク番組を前記ダイレクト選局ボタンが押下されたことを示す信号が入力される毎に順次選択して再生することを特徴とする請求項２に記載のデジタル放送受信装置。
【発明の詳細な説明】
【技術分野】
【０００１】
本発明は、デジタル放送を受信するデジタル放送受信装置に関する。
【背景技術】
【０００２】
近年、テレビジョン放送のデジタル化が進み、日本国内では、ＢＳ（Broadcasting Satellite）デジタル放送、ＣＳ（Communication Satellite）デジタル放送等の衛星デジタル放送だけでなく、地上波デジタル放送も開始された。そして、このようなデジタルテレビジョン放送を受信するデジタル放送受信装置にあっては、例えばハードディスクのような大容量の記録媒体を有するデジタル記録機器を接続することにより、受信した番組をデジタル録画したり、録画した番組を再生したりすることが可能となっている。
【０００３】
ところで、このように録画した番組はハードディスクに複数保存されており、録画番組を視聴するためには、ユーザは、例えば次のような煩雑なリモコンの操作を行うことになる。ユーザは、まず、録画リストボタンを選択し、録画番組のリストである録画リストを表示させ、この録画リスト中の録画番組を上下キー等を用いて選択し、決定キーを押下する。これにより、ユーザが選択した録画番組が視聴状態となる。
【０００４】
このような煩雑な操作を行うことなく、簡単な操作でハードディスクに録画した番組を視聴することができる装置として、特定のジャンルの番組については、自動録画された最新のコンテンツを、リモコンに設けられた専用ボタンを押下するだけで再生できる機能を有するハードディスク内蔵のデジタル放送受信装置が知られている。
【０００５】
また、特許文献１では、多数のチャンネルの中から所望のチャンネルだけを選択できるように、リモコンの数字キーに所望のチャンネルを割り付けることができるデジタル放送受信装置が提案されている。また、特許文献２では、複数の外部接続機器の入力切換を簡単にするために、リモコンの数字キーに外部接続機器それぞれを登録することができるデジタル放送受信装置が提案されている。
【特許文献１】特開２００２−４４５３７号公報
【特許文献２】特開２００１−１８４９５号公報
【発明の開示】
【発明が解決しようとする課題】
【０００６】
しかしながら、上述のような、リモコンの専用ボタンを押下するだけで自動録画された最新のコンテンツを再生できるデジタル放送受信装置では、簡単な操作で再生できる録画番組は特定のジャンルに限られ、任意の録画番組の再生を行う場合については、ユーザは前述のような煩雑なリモコンの操作を行う必要があった。
【０００７】
また、特許文献１，２は、リモコンのボタンへ機能を割り当てる技術に関して紹介したものであり、ハードディスクなどに録画した複数の録画番組から所望の録画番組を簡単な操作により再生する技術を提供するものではない。
【０００８】
また、インターネットにおいては、地上波デジタル放送番組の再送信も検討されており、このようなネットワーク送信される番組であるネットワーク番組を、先に述べた録画番組と同様に、簡単なリモコン操作により再生することができるデジタル放送受信装置を開発したいという要望が生じていた。
【０００９】
本発明は上記に鑑みてなされたもので、簡単なリモコン操作で録画番組やネットワーク番組を再生することができるデジタル放送受信装置を提供することを目的とする。
【課題を解決するための手段】
【００１０】
上記目的を達成するため、本発明のデジタル放送受信装置は、所望のデジタル放送番組を受信する受信手段と、前記受信手段で受信したデジタル放送番組を録画する録画手段と、本装置を操作するためのリモコンに設けられた、放送チャンネルがそれぞれ割り付けられた複数のダイレクト選局ボタンのうち、少なくとも１つのダイレクト選局ボタンに対して、当該ダイレクト選局ボタンに対応する放送チャンネルに換えて、前記録画手段に録画された録画番組を識別する情報を置き換え番組情報として割り付け、前記ダイレクト選局ボタンと前記置き換え番組情報との対応を示す置き換え設定情報を生成して保持する置き換え設定手段と、前記置き換え番組情報が割り付けられたダイレクト選局ボタンが押下されたことを示す信号が入力された場合、前記置き換え設定情報に基づいて、押下された前記ダイレクト選局ボタンに対応する前記置き換え番組情報が示す前記録画番組を再生する再生手段とを備えることを特徴とする。
【００１１】
また、本発明のデジタル放送受信装置は、ネットワークを介してネットワーク番組を受信するネットワーク接続手段をさらに備え、前記置き換え設定手段は、少なくとも１つの前記ダイレクト選局ボタンに対して、前記録画手段に録画された前記録画番組を識別する情報および前記ネットワーク番組を配信するネットワークサイトを識別する情報の少なくともいずれか一方を１つ以上前記置き換え番組情報として割り付け、前記再生手段は、前記置き換え番組情報が前記ネットワークサイトを識別する情報であった場合、前記置き換え設定情報に基づいて、押下された前記ダイレクト選局ボタンに対応する前記置き換え番組情報が示す前記ネットワークサイトで配信される前記ネットワーク番組を前記ネットワーク接続手段を介して受信して再生することを特徴とする。
【００１２】
また、本発明のデジタル放送受信装置は、前記再生手段は、複数の前記置き換え番組情報が割り付けられた前記ダイレクト選局ボタンが押下されたことを示す信号が入力された場合、前記置き換え設定情報に基づいて、複数の前記置き換え番組情報がそれぞれ示す前記録画番組または前記ネットワークサイトで配信される前記ネットワーク番組を前記ダイレクト選局ボタンが押下されたことを示す信号が入力される毎に順次選択して再生することを特徴とする。
【発明の効果】
【００１３】
本発明のデジタル放送受信装置によれば、簡単なリモコン操作で録画番組やネットワーク番組を再生することができる。
【発明を実施するための最良の形態】
【００１４】
以下、本発明のデジタル放送受信装置を実施するための最良の形態について、図面を参照して説明する。
【００１５】
なお、本実施の形態に係るデジタル放送受信装置は、モニタやスピーカを内蔵したテレビ受像機等と一体で構成される形態であってもよいし、セットトップボックス（ＳＴＢ）や、ＤＶＤ（Digital Versatile Disc），ＨＤＤ（Hard Disk Drive）を用いた外部記録装置のようにテレビ受像機等と独立して構成される形態でもよい。
【００１６】
図１は、本発明の実施の形態に係るデジタル放送受信装置の構成を示すブロック図である。図１に示すように本実施の形態に係るデジタル放送受信装置１０は、チューナ１１と、分離部１２と、映像デコーダ１３と、音声デコーダ１４と、ＧＵＩ（Graphical User Interface）グラフィックスデータ生成部１５と、ＧＵＩ合成部１６と、映像出力部１７と、音声出力部１８と、記録媒体１９と、ボタン情報管理部２０と、録画番組管理部２１と、ネットワークインタフェース２２と、リモコンインタフェース２３と、制御部２４とを備える。
【００１７】
チューナ１１は、所望の番組を放送するチャンネルのデジタル放送電波を、アンテナ３０を介して受信し、受信したデジタル放送電波に復調処理や誤り訂正処理等を施して、トランスポートストリーム（ＴＳ：Transport Stream）形式のデジタル信号を出力する。
【００１８】
分離部１２は、チューナ１１から出力されるトランスポートストリームをＴＳパケットに分離し、そのＴＳパケットから所望の番組の映像パケット、音声パケット、および制御情報データを抽出する。分離部１２は、抽出した映像パケットを映像デコーダ１３に出力し、音声パケットを音声デコーダ１４に出力し、制御情報データを制御部２４に出力する。なお、分離部１２は、映像パケット、音声パケットを固定レートのストリームに変換した後に、それぞれ映像デコーダ１３、音声デコーダ１４に供給する。
【００１９】
制御情報データには、ＰＡＴ（Program Association Table）、ＰＭＴ（Program Map Table）などの、特定番組を選択するための情報であるＰＳＩ（Program Specific Information）や、所定期間に放送予定の複数の番組の番組名、番組説明などの番組の詳細情報が記述されるＥＩＴ（Event Information Table）などのＳＩ（Service Information）が含まれている。
【００２０】
映像デコーダ１３は、分離部１２で分離された映像パケットをデコード処理して、映像データに復元する。
【００２１】
音声デコーダ１４は、分離部１２で分離された音声パケットをデコード処理して、音声データに復元する。
【００２２】
ＧＵＩグラフィックスデータ生成部１５は、後述の録画リスト表示画面等に使用されるＧＵＩ画面のグラフィックスデータを生成する。
【００２３】
ＧＵＩ合成部１６は、映像デコーダ１３で復元された映像データ、またはＧＵＩグラフィックスデータ生成部１５で生成されたグラフィックスデータのいずれかを選択して出力するか、あるいは映像データとグラフィックスデータとを合成して出力する。
【００２４】
映像出力部１７は、ＧＵＩ合成部１６から出力されるデータをモニタ３１に表示できる形態の映像信号に変換する。
【００２５】
音声出力部１８は、音声デコーダ１４から出力される音声データをスピーカ３２で放音できる形態の音声信号に変換する。
【００２６】
記録媒体１９は、ハードディスク等からなり、制御部２４の制御により、分離部１２で分離された映像パケットおよび音声パケットを格納する。
【００２７】
ボタン情報管理部２０は、デジタル放送受信装置１０を操作するためのリモコン２５が有するダイレクト選局ボタン（図示せず）に対して、当該ダイレクト選局ボタンに対応する放送チャンネルに換えて、ユーザ操作により指示される録画番組等を識別する情報を置き換え番組情報として割り付け、ダイレクト選局ボタンと、それに割り付けられた置き換え番組情報との対応等を示す置き換え設定情報を生成してこれを保持する。
【００２８】
録画番組管理部２１は、記録媒体１９に録画した番組の番組名情報、放送チャンネル情報、放送日情報、放送開始時刻情報、放送終了時刻情報等を含む録画番組情報のリストである録画リストを生成してこれを保持する。
【００２９】
ネットワークインタフェース２２は、例えばインターネットからなるネットワーク３３と接続し、ネットワーク番組のデジタル信号を受信する。
【００３０】
リモコンインタフェース２３は、リモコン２５より出力される例えば赤外線を受光し、この赤外線による伝達信号を操作信号に適宜変換して制御部２４へ出力する。
【００３１】
制御部２４は、デジタル放送受信装置１０に設けられた各部を統括的に制御する。
【００３２】
次に、デジタル放送受信装置１０の動作について説明する。まず、放送番組を受信して再生する際の動作について説明する。
【００３３】
チューナ１１は、制御部２４からの指示により、所望の番組を放送するチャンネルのデジタル放送電波を受信し、受信したデジタル放送電波に復調処理や誤り訂正処理等を施して、トランスポートストリーム形式のデジタル信号を出力する。
【００３４】
次いで、分離部１２は、チューナ１１から出力されるトランスポートストリームをＴＳパケットに分離し、このＴＳパケットから所望の番組の音声パケット、映像パケット、およびそれ以外の制御情報データを抽出する。分離部１２は、抽出した映像パケットを映像デコーダ１３に出力し、音声パケットを音声デコーダ１４に出力し、制御情報データを制御部２４に出力する。
【００３５】
映像デコーダ１３は、分離部１２からの映像パケットをデコード処理して、復元した映像データをＧＵＩ合成部１６を介して映像出力部１７に出力する。また、音声デコーダ１４は、分離部１２からの音声パケットをデコード処理して、復元した音声データを音声出力部１８に出力する。
【００３６】
そして、映像出力部１７は、供給された映像データを映像信号に変換してモニタ３１に出力して表示させる。また、音声出力部１８は、供給された音声データを音声信号に変換してスピーカ３２に出力して放音させる。
【００３７】
次に、ネットワーク番組を受信して再生する際の動作について説明する。
【００３８】
ユーザのリモコン操作によりネットワーク番組を受信する指示を示す信号がリモコンインタフェース２３を介して入力されると、制御部２４は、図２に示すようなソフトウェアキーボード画面４０のグラフィックスデータをＧＵＩグラフィックスデータ生成部１５に生成させ、ＧＵＩ合成部１６および映像出力部１７を制御してモニタ３１にソフトウェアキーボード画面４０を表示させる。
【００３９】
ユーザはリモコン操作により、ソフトウェアキーボード画面４０を用いて所望のネットワーク番組を配信するインターネットサイトのＵＲＬ（Uniform Resource Locator）を入力する。ここで、制御部２４は、入力されたＵＲＬおよびそれに対応するサイト名を、受信したネットワーク番組を配信するインターネットサイトのリストであるお気に入りリストに追加し、図示しないメモリに記憶する。
【００４０】
そして、ネットワークインタフェース２２は、制御部２４からの指示により、入力されたＵＲＬに対応するインターネットサイトで配信されるネットワーク番組のデジタル信号を、ネットワーク３３を介して受信する。ネットワークインタフェース２２は、ネットワーク番組のデジタル信号がトランスポートストリーム形式であった場合、この受信したトランスポートストリームを分離部１２に出力する。なお、ネットワーク番組のデジタル信号がトランスポートストリーム形式でない場合は、それぞれのデジタル信号にあった信号処理を行う。
【００４１】
その後、上述した放送番組を受信して再生する場合と同様の処理により、モニタ３１、スピーカ３２に映像、音声を出力する。
【００４２】
次に、放送番組を録画する際の動作について説明する。
【００４３】
上述した放送番組を受信して再生する場合と同様の処理により、チューナ１１はトランスポートストリームを出力し、分離部１２はチューナ１１から供給されるトランスポートストリームをＴＳパケットに分離し、そのＴＳパケットから所望の番組の音声パケット、映像パケット、およびそれ以外の制御情報データを抽出する。
【００４４】
制御部２４は、分離部１２で分離された音声パケットおよび映像パケットを記録媒体１９に記録する。また、制御部２４は、分離部１２から制御情報データを受け取り、この制御情報データ中のＥＩＴから、記録媒体１９に録画した番組の番組名情報、放送チャンネル情報、放送日情報、放送開始時刻情報、放送終了時刻情報等を取得し、これらの情報を含む録画番組情報を録画リストに追加して保存するように録画番組管理部２１を制御する。
【００４５】
次に、ネットワーク番組を録画する際の動作について説明する。
【００４６】
上述したネットワーク番組を受信して再生する場合と同様の処理により、ネットワークインタフェース２２は、受信したトランスポートストリームを分離部１２に出力する。その後、上述した放送番組を録画する場合と同様の処理により、音声パケットおよび映像パケットを記録媒体１９に記録し、録画番組情報を録画番組管理部２１の録画リストに追加して保存する。
【００４７】
次に、デジタル放送受信装置１０を操作するためのリモコン２５のダイレクト選局ボタンに、放送チャンネルに換えて録画番組等を識別する情報を割り付ける手順について説明する。
【００４８】
リモコン２５には、１〜１２の数字が付された１２個のダイレクト選局ボタンが設けられている。各ダイレクト選局ボタンには、そのダイレクト選局ボタンに付された数字に対応するチャンネル番号の放送チャンネルが予め割り付けられており、ユーザはダイレクト選局ボタンを押下することにより選局を行う。
【００４９】
本実施の形態のデジタル放送受信装置１０では、ダイレクト選局ボタンに対応する放送チャンネルに換えて、記録媒体１９に録画された録画番組を識別する情報や、ネットワーク番組を配信するインターネットサイトを識別する情報を割り付けることができる。
【００５０】
まず、ダイレクト選局ボタンに録画番組を識別する情報を割り付ける手順について説明する。
【００５１】
ユーザのリモコン操作により録画リストの表示指示を示す信号がリモコンインタフェース２３を介して入力されると、制御部２４は、録画リスト表示画面のグラフィックスデータをＧＵＩグラフィックスデータ生成部１５に生成させ、ＧＵＩ合成部１６および映像出力部１７を制御してモニタ３１に録画リスト表示画面を表示させる。
【００５２】
ここで表示される録画リスト表示画面の一例を図３に示す。図３に示すように、録画リスト表示画面５０には、録画番組の放送日、放送開始時刻、番組の長さ、および番組名を一覧表示する録画番組欄５１と、録画番組とダイレクト選局ボタンとの対応を示す割付欄５２とが表示される。
【００５３】
録画リスト表示画面５０の表示時において、ユーザがリモコン２５の上下キーを操作することにより、図３に示すように、録画番組欄５１に表示された番組から１つの録画番組を選択することができ、ここでユーザがリモコン２５の右キーを押下すると、図４に示すように、フォーカスを割付欄５２に移動させることができる。
【００５４】
この状態で、ユーザのリモコン操作により決定指示を示す信号がリモコンインタフェース２３を介して入力されると、制御部２４は、図５に示すような、割付ボックス５３をポップアップ画面として表示するようにＧＵＩグラフィックスデータ生成部１５、ＧＵＩ合成部１６、および映像出力部１７を制御する。
【００５５】
割付ボックス５３には、ユーザがリモコン操作により選択したダイレクト選局ボタンの数字と、ダイレクト選局ボタンへの録画番組を識別するための情報の割り付けを設定することを指示するための「設定」ボタン５４と、割り付けの解除を指示するための「解除」ボタン５５とが表示される。
【００５６】
割付ボックス５３の表示時において、ユーザのリモコン操作により所望のダイレクト選局ボタンが押下され、「設定」ボタン５４が選択されると、制御部２４は、押下されたダイレクト選局ボタンに対応する放送チャンネルに換えて、選択された録画番組を識別するための情報を置き換え番組情報として割り付け、このダイレクト選局ボタンと置き換え番組情報との対応を示す情報を置き換え設定情報に追加して保存するようにボタン情報管理部２０を制御する。
【００５７】
次に、ダイレクト選局ボタンにネットワーク番組を配信するインターネットサイトを識別する情報を割り付ける手順について説明する。
【００５８】
ユーザのリモコン操作によりお気に入りリストの表示指示を示す信号がリモコンインタフェース２３を介して入力されると、制御部２４は、お気に入りリスト表示画面のグラフィックスデータをＧＵＩグラフィックスデータ生成部１５に生成させ、ＧＵＩ合成部１６および映像出力部１７を制御してモニタ３１にお気に入りリスト表示画面を表示させる。
【００５９】
ここで表示されるお気に入りリスト表示画面の一例を図６に示す。図６に示すように、お気に入りリスト表示画面７０には、ネットワーク番組を配信するインターネットサイトのサイト名およびＵＲＬを一覧表示するＵＲＬ表示欄７１と、インターネットサイトとダイレクト選局ボタンとの対応を示す割付欄７２とが表示される。
【００６０】
そして、上述したダイレクト選局ボタンに録画番組を識別する情報を割り付ける場合と同様の手順で、図７に示すように割付ボックス５３をポップアップ画面として表示させる。
【００６１】
割付ボックス５３の表示時において、ユーザのリモコン操作により所望のダイレクト選局ボタンが押下され、「設定」ボタン５４が選択されると、制御部２４は、押下されたダイレクト選局ボタンに対応する放送チャンネルに換えて、選択されたインターネットサイトを識別する情報を置き換え番組情報として割り付け、このダイレクト選局ボタンと置き換え番組情報との対応を示す情報を置き換え設定情報に追加して保存するようにボタン情報管理部２０を制御する。
【００６２】
図８は置き換え設定情報の内容を示す図である。図８に示すように、置き換え設定情報は、ダイレクト選局ボタンの番号を示すボタン番号情報と、置き換え番組情報が割り付けられているか否かを示す置き換え有無情報と、録画番組の記録媒体１９上の開始位置を示す開始位置情報と、ネットワーク番組を配信するインターネットサイトのＵＲＬ情報と、録画番組の記録媒体１９上の現在位置を示す現在位置情報と、録画番組の記録媒体１９上の終了位置を示す終了位置情報と、置き換え番組の現在の状態（再生、停止、一時停止等）を示す状態情報とを含む。ここで、開始位置情報、現在位置情報、終了位置情報としては、例えばハードディスクのトラック番号等を用いることができる。
【００６３】
次に、リモコン２５のダイレクト選局ボタンが押下された場合の処理について、図９に示すフローチャートを参照して説明する。
【００６４】
ステップＳ１０において、リモコン２５のダイレクト選局ボタンのいずれかが押下されたことを示す信号がリモコンインタフェース２３を介して入力されると、制御部２４は、ステップＳ２０において、ボタン情報管理部２０の置き換え設定情報を参照して、押下されたダイレクト選局ボタンに置き換え番組情報が割り付けられているか否かを判断する。置き換え番組情報が割り付けられている場合（ステップＳ２０：ＹＥＳ）、ステップＳ３０に進み、置き換え番組情報が割り付けられていない場合（ステップＳ２０：ＮＯ）、ステップＳ９０に進む。
【００６５】
ステップＳ３０において、制御部２４は、置き換え設定情報を参照して、押下されたダイレクト選局ボタン以外のダイレクト選局ボタンに割り付けられた置き換え番組情報が示す番組の中に、再生状態の番組が存在するか否かを判断する。再生状態の番組が存在する場合（ステップＳ３０：ＹＥＳ）、ステップＳ４０に進み、再生状態の番組が存在しない場合（ステップＳ３０：ＮＯ）、ステップＳ６０に進む。
【００６６】
ステップＳ４０において、制御部２４は、再生状態の番組の再生を一時停止させる。次いで、ステップＳ５０において、制御部２４は、置き換え設定情報の当該番組に対応する現在位置情報を記録媒体１９上の一時停止した位置を示す情報に変更し、状態情報を「一時停止」に変更するようにボタン情報管理部２０を制御する。
【００６７】
ステップＳ６０では、制御部２４は、置き換え設定情報を参照して、押下されたダイレクト選局ボタンに対応する置き換え番組情報が示す番組が、記録媒体１９に録画された録画番組であるか否かを判断する。録画番組である場合（ステップＳ６０：ＹＥＳ）、ステップＳ７０に進み、録画番組でない場合（ステップＳ６０：ＮＯ）、ステップＳ８０に進む。
【００６８】
ステップＳ７０では、制御部２４は、置き換え設定情報の開始位置情報および現在位置情報を参照して、押下されたダイレクト選局ボタンに対応する置き換え番組情報が示す番組である録画番組の映像パケットおよび音声パケットを記録媒体１９から読み出し、分離部１２を介して映像デコーダ１３、音声デコーダ１４にそれぞれ供給する。
【００６９】
そして、映像デコーダ１３は、供給された映像パケットをデコード処理して、復元した映像データをＧＵＩ合成部１６を介して映像出力部１７に出力する。また、音声デコーダ１４は、供給された音声パケットをデコード処理して、復元した音声データを音声出力部１８に出力する。その後、映像出力部１７から映像信号をモニタ３１に、音声出力部１８から音声信号をスピーカ３２にそれぞれ供給する。
【００７０】
また、制御部２４は、押下されたダイレクト選局ボタンに対応する状態情報を「再生」に変更するようにボタン情報管理部２０を制御する。
【００７１】
ステップＳ８０では、制御部２４は、置き換え設定情報のＵＲＬ情報を参照し、そのＵＲＬに対応するインターネットサイトで配信されるネットワーク番組のデジタル信号を、ネットワーク３３を介して受信し、この受信したトランスポートストリームを分離部１２に出力するようにネットワークインタフェース２２を制御する。
【００７２】
その後、前述した放送番組を受信して再生する場合と同様の処理により、モニタ３１、スピーカ３２へ映像および音声を出力する。
【００７３】
また、制御部２４は、押下されたダイレクト選局ボタンに対応する状態情報を「再生」に変更するようにボタン情報管理部２０を制御する。
【００７４】
ステップＳ９０では、制御部２４は、置き換え設定情報を参照して、押下されたダイレクト選局ボタン以外のダイレクト選局ボタンに割り付けられた置き換え番組情報が示す番組の中に、再生状態の番組が存在するか否かを判断する。再生状態の番組が存在する場合（ステップＳ９０：ＹＥＳ）、ステップＳ１００に進み、再生状態の番組が存在しない場合（ステップＳ９０：ＮＯ）、ステップＳ１２０に進む。
【００７５】
ステップＳ１００では、制御部２４は、再生状態の番組の再生を一時停止させる。次いで、ステップＳ１１０において、制御部２４は、置き換え設定情報の当該番組に対応する現在位置情報を記録媒体１９上の一時停止した位置を示す情報に変更し、状態情報を「一時停止」に変更するようにボタン情報管理部２０を制御する。
【００７６】
次いで、ステップＳ１２０において、制御部２４は、前述した放送番組を受信して再生する場合と同様の処理により、押下されたダイレクト選局ボタンに対応する放送チャンネルの放送番組を再生させる。
【００７７】
なお、１つのダイレクト選局ボタンに対して複数の置き換え番組情報を割り付けてもよい。例えば、複数の録画番組を識別するための各情報や複数のインターネットサイトを識別するための各情報を１つのダイレクト選局ボタンに割り付けてもよいし、録画番組を識別するための情報とインターネットサイトを識別するための情報との組み合わせを１つのダイレクト選局ボタンに割り付けてもよい。この場合、複数の置き換え番組情報が割り付けられたダイレクト選局ボタンが押下されると、制御部２４は、置き換え設定情報に基づいて、対応する複数の置き換え番組情報から１つを選択して、選択した置き換え番組情報が示す録画番組またはネットワーク番組を再生するように各部を制御する。そして、再生する録画番組またはネットワーク番組は、当該ダイレクト選局ボタンが押下されるたびに順次選択するようにする。
【００７８】
上記説明のように本実施の形態によれば、録画番組やネットワーク番組を配信するインターネットサイトを識別するための情報を、リモコン２５のダイレクト選局ボタンに割り付けることにより、簡単なリモコン操作で録画番組やネットワーク番組を再生することができる。また、これにより、操作者の手を煩わせることなく、単純なリモコン操作で放送番組と録画番組やネットワーク番組との切換視聴（ザッピング）が可能になる。
【図面の簡単な説明】
【００７９】
【図１】本発明の実施の形態に係るデジタル放送受信装置の構成を示すブロック図である。
【図２】ソフトウェアキーボード画面を示す図である。
【図３】録画リスト表示画面を示す図である。
【図４】録画リスト表示画面を示す図である。
【図５】割り付けボックスが表示された録画リスト表示画面を示す図である。
【図６】お気に入りリスト表示画面を示す図である。
【図７】割り付けボックスが表示されたお気に入りリスト表示画面を示す図である。
【図８】置き換え設定情報の内容を示す図である。
【図９】図１に示すデジタル放送受信装置においてリモコンのダイレクト選局ボタンが押下された場合の処理を示すフローチャートである。
【符号の説明】
【００８０】
１０  デジタル放送受信装置
１１  チューナ
１２  分離部
１３  映像デコーダ
１４  音声デコーダ
１５  ＧＵＩグラフィックスデータ生成部
１６  ＧＵＩ合成部
１７  映像出力部
１８  音声出力部
１９  記録媒体
２０  ボタン情報管理部
２１  録画番組管理部
２２  ネットワークインタフェース
２３  リモコンインタフェース
２４  制御部
２５  リモコン
３０  アンテナ
３１  モニタ
３２  スピーカ
３３  ネットワーク
【図１】
2009177490.tif 000003
【図２】
2009177490.tif 000004
【図３】
2009177490.tif 000005
【図４】
2009177490.tif 000006
【図５】
2009177490.tif 000007
【図６】
2009177490.tif 000008
【図７】
2009177490.tif 000009
【図８】
2009177490.tif 000010
【図９】
2009177490.tif 000011